(57)【特許請求の範囲】
【請求項１】
バスト上部に対応する上カップ部と、バスト下部に対応する下カップ部と、を有する左右一体のカップ部を備え、
前記上カップ部には、前記下カップ部の伸長回復力よりも前記上カップ部の伸長回復力を大きくするパネル部が設けられ、
前記パネル部の下縁部は、上方に凸となる湾曲形状をなすと共に、前記カップ部の左右の脇縁部を繋ぐように延在しているカップ部付き衣類。
【請求項２】
前記カップ部は、表側布及び裏側布によって構成され、
前記パネル部は、前記下カップ部の伸長回復力よりも大きい伸長回復力を有する素材によって形成されると共に、前記表側布と前記裏側布との間に配置され、
前記パネル部の下縁部は、前記カップ部に対して非結合となっている請求項１記載のカップ部付き衣類。
【請求項３】
前記パネル部の下縁部は、前記カップ部のバストトップ位置よりも上側を通るように延在している請求項１又は２記載のカップ部付き衣類。
【請求項４】
前記パネル部の左右の脇縁部は、前記カップ部の左右の脇縁部に沿って延在している請求項１〜３のいずれか一項記載のカップ部付き衣類。
【請求項５】
前記カップ部の左右の脇縁部を連結するバック部と、
前記カップ部と前記バック部とを連結するストラップ部と、を更に備え、
前記パネル部の上縁部は、前記カップ部と前記ストラップ部との連結部分から離間している請求項１〜４のいずれか一項記載のカップ部付き衣類。
【請求項６】
前記カップ部のバストトップ位置を通るように、前記カップ部の上縁部と前記カップ部の下縁部との間で延在するパネル部が更に設けられている請求項１〜５のいずれか一項記載のカップ部付き衣類。
【発明の詳細な説明】
【技術分野】
【０００１】
本発明は、カップ部付き衣類に関する。
【背景技術】
【０００２】
従来のカップ部付き衣類として、運動時に着用するタイプのブラジャーがある。このようなタイプのブラジャーは、一般に、運動時の体の動きによって生じるバストの揺れを抑える機能を有している。例えば特許文献１に記載のハーフトップでは、前身頃の表側に肩紐からアンダーベルトにかけて略Ｙ字に形成されたフロント布部を設けると共に、後身頃の裏側に肩紐からアンダーベルトにかけて略Ｙ字に形成されたバック布部を設けている。また、フロント布部及びバック布部の緊締力を前身頃及び後身頃に対して大きくし、フロント布部及びバック布部の伸長性を前身頃及び後身頃に対して小さくしている。
【先行技術文献】
【特許文献】
【０００３】
【特許文献１】実用新案登録第３１８６３８９号公報
【発明の概要】
【発明が解決しようとする課題】
【０００４】
しかしながら上述した特許文献１のようなカップ部付き衣類の構成では、左右に独立したカップ部を設けると共に、略Ｙ字に形成されたフロント布部をカップ部に対して設けているので、構成が複雑化してしまうという問題がある。
【０００５】
本発明は、上記課題の解決のためになされたものであり、簡単な構成で着用者のバストの揺れを効果的に抑制できるカップ部付き衣類を提供することを目的とする。
【課題を解決するための手段】
【０００６】
上記課題の解決のため、本発明の一側面に係るカップ部付き衣類は、バスト上部に対応する上カップ部と、バスト下部に対応する下カップ部と、を有する左右一体のカップ部を備え、上カップ部には、下カップ部の伸長回復力よりも上カップ部の伸長回復力を大きくするパネル部が設けられ、パネル部の下縁部は、上方に凸となる湾曲形状をなすと共に、カップ部の左右の脇縁部を繋ぐように延在している。
【０００７】
このカップ部付き衣類では、左右一体のカップ部の両脇部分をつなぐようにパネル部を設けているので、構成の簡単化が図られている。このカップ部付き衣類では、着用状態においてカップ部の脇縁部が外側に広がると、左右の脇縁部を繋ぐように延在しているパネル部の下縁部が左右に引っ張られる。この引っ張り力がパネル部の下縁部に作用すると、上方に凸となる湾曲形状をなしていたパネル部の下縁部が直線形状に近づくように変形し、これに伴って、上カップ部においてカップ部の裏側（着用者のバスト側）方向に力が作用する。これにより、着用者の左右のバスト上部が下カップ部よりも伸長回復力の大きい上カップ部によってしっかりと押さえられ、着用者のバストの揺れを効果的に抑制できる。
【０００８】
また、カップ部は、表側布及び裏側布によって構成され、パネル部は、下カップ部の伸長回復力よりも大きい伸長回復力を有する素材によって形成されると共に、表側布と裏側布との間に配置され、パネル部の下縁部は、カップ部に対して非結合となっていてもよい。この場合、パネル部がカップ部の内部に配置されるので、カップ部付き衣類の外観への影響を軽減できる。また、パネル部の下縁部をカップ部に対して非結合とすることにより、パネル部の変形が十分に許容され、着用時に上カップ部においてカップ部の裏側方向に作用する力をより確実に生じさせることが可能となる。
【０００９】
また、パネル部の下縁部は、カップ部のバストトップ位置よりも上側を通るように延在していてもよい。このような構成であっても、上カップ部においてカップ部の裏側方向に力が作用することによってバスト上部が十分な面積で押さられるので、バストの揺れの抑制効果が十分に奏される。一方、パネル部がバストトップを押さえないようにすることで、着用時のバストの締付感を低減できる。
【００１０】
また、パネル部の左右の脇縁部は、カップ部の左右の脇縁部に沿って延在していてもよい。この場合、パネル部によってバスト脇部が十分な面積で押さえられるので、バストの揺れを一層効果的に抑制できる。
【００１１】
また、カップ部の左右の脇縁部を連結するバック部と、カップ部とバック部とを連結するストラップ部と、を更に備え、パネル部の上縁部は、カップ部とストラップ部との連結部分から離間していてもよい。これにより、上カップ部におけるカップ部の裏側方向への力の作用がストラップ部の引き上げ力によって阻害されることを抑制できる。また、パネル部の上縁部がバスト上部の形状に沿い易くなるので、着用感を向上できる。
【００１２】
また、カップ部のバストトップ位置を通るように、カップ部の上縁部とカップ部の下縁部との間で延在するパネル部が更に設けられていてもよい。こうすると、着用者のバストトップがカップ部から透けてしまうことを防止できる。また、パネル部がバストの前後の揺れを抑えるので、バストの揺れの軽減効果を強化できる。
【発明の効果】
【００１３】
本発明の一側面に係るカップ部付き衣類によれば、簡単な構成で着用者のバストの揺れを効果的に抑制できる。
【図面の簡単な説明】
【００１４】
【図１】本発明に係るカップ部付き衣類の一実施形態を示す正面図である。
【図２】図１に示したカップ部付き衣類の背面図である。
【図３】図１に示したカップ部付き衣類の着用状態を示す正面図である。
【発明を実施するための形態】
【００１５】
以下、図面を参照しながら、本発明に係るカップ部付き衣類の好適な実施形態について詳細に説明する。
【００１６】
図１は、本発明に係るカップ部付き衣類の一実施形態を示す正面図である。また、図２は、その背面図である。図１及び図２に示すように、カップ部付き衣類１は、例えば女性用のブラジャーとして構成されている。カップ部付き衣類１は、運動時に着用するタイプのブラジャーであり、運動を阻害しないように着用者のバストの揺れを抑制する機能を有している。なお、本実施形態では、比較的バストサイズの小さい着用者に合わせたブラジャーの構成を例示する。
【００１７】
カップ部付き衣類１は、左右一体のカップ部２と、カップ部２の左右の脇縁部１２，１２同士を連結するバック部３と、カップ部２とバック部３とを連結するストラップ部４とによって構成されている。
【００１８】
カップ部２は、人体のバスト形状に対応し、前方に凸状となる立体形状をなしている。カップ部２は、例えば合成繊維や天然繊維の織物・編物といった素材からなる表側布６及び裏側布７によって形成されている。表側布６及び裏側布７を形成する素材としては、例えばベア天竺、フライス、トリコットなどが挙げられる。表側布６と裏側布７とは、互いの周縁部同士を縫着することによって結合され、表側布６と裏側布７との間には、後述する第１のパネル部２１と第２のパネル部３１とを配置する空間が形成されている。
【００１９】
カップ部２の上縁部１１は、前中心Ａ側で凹状に湾曲する湾曲部分１１ａと、湾曲部分１１ａの脇側に延在してストラップ部４に連結される連結部分１１ｂとを有している。カップ部２の脇縁部１２は、腕の動きを阻害することが無いように中心側に向かって緩やかな凹状に湾曲する湾曲部分１２ａと、湾曲部分１２ａの下端から下方に延在してバック部３に連結される連結部分１２ｂとを有している。カップ部２の下縁部１３は、連結部分１２ｂの下端同士を結ぶように直線状に延在している。
【００２０】
バック部３は、例えばパワーネットなどの伸縮性を有する素材によって形成されている。バック部３は、図２に示すように、カップ部２における左右の脇縁部１２の連結部分１２ｂ同士を繋ぐように、カップ部２の背面側で帯状に延びている。バック部３の上縁側は、左右のストラップ部４に対応し、後中心Ｂについて対称に上方に向かって二股に形成されている。なお、バック部３は、表側布６及び裏側布７と同等の素材によって形成されていてもよい。
【００２１】
ストラップ部４は、例えば表側布６と同等の素材にパワーネットを裏打ちすることによって形成されている。ストラップ部４は、例えば織物のような布地を帯状に成形、縫製して形成されていてもよい。ストラップ部４は、長手方向に伸縮性を有していることが好適である。ストラップ部４は、図１及び図２に示すように、カップ部２とバック部３との間に掛け渡され、いわゆる肩紐を構成している。ストラップ部４の一端は、カップ部２における上縁部１１の連結部分１１ｂに連結され、ストラップ部４の他端は、バック部３の上縁側において、二股部分の先端部分に連結されている。
【００２２】
続いて、上述したカップ部２の構成について更に詳細に説明する。
【００２３】
カップ部２は、図１及び図２に示すように、表側布６と裏側布７との間の空間内に、第１のパネル部２１と、第２のパネル部３１とを有している。本実施形態では、空間内において、第１のパネル部２１が表側布６側に位置し、第２のパネル部３１が裏側布７側に位置している。また、第１のパネル部２１と第２のパネル部３１とは、互いにフリー（非縫着状態）となっている。
【００２４】
第１のパネル部２１及び第２のパネル部３１は、いずれも表側布６及び裏側布７よりも伸長回復力の大きい素材によって形成されている。本実施形態において「伸長回復力が大きい」とは、「伸長力が大きい」若しくは「回復性が高い」ことを指している。第１のパネル部２１及び第２のパネル部３１を形成する素材としては、例えばサテンパワーネット、パワーネット、ダブルラッセル、ウレタンシートなどが挙げられる。第１のパネル部２１及び第２のパネル部３１は、同一の素材によって形成されていてもよく、異なる素材によって形成されていてもよい。伸長力は、ＪＩＳ  Ｌ１０９６  織物及び編み物の生地試験方法により計測でき、回復性は、風合い計測技術ＫＥＳシステムにより計測できる。
【００２５】
第１のパネル部２１は、図１に示すように、カップ部２のうち、バスト上部に対応する上カップ部２Ａに対応して配置されている。第１のパネル部２１の上縁部２２は、全長にわたって下方に凸となるように湾曲した形状となっている。上縁部２２の曲率は、カップ部２における上縁部１１の湾曲部分１１ａの曲率よりも小さくなっている。上縁部２２の中央部分２２ａは、カップ部２における上縁部１１の湾曲部分１１ａの中央部分と一定の長さで重なっており、当該重なり部分で湾曲部分１１ａに縫着されている。
【００２６】
また、上縁部２２の両脇部分２２ｂは、カップ部２における脇縁部１２の湾曲部分１２ａの上部に延びている。この両脇部分２２ｂは、カップ部２における上縁部１１の連結部分１１ｂよりも下方に位置しており、上縁部２２は、カップ部２とストラップ部４との連結部分１１ｂから離間した状態となっている。また、両脇部分２２ｂは、カップ部２に対してフリー（非縫着状態）となっている。
【００２７】
第１のパネル部２１の左右の脇縁部２３は、カップ部２の左右の脇縁部１２に沿って延在している。より具体的には、脇縁部２３は、上縁部２２の両脇部分２２ｂから下方に延びてカップ部２における脇縁部１２の湾曲部分１２ａに沿う湾曲部分２３ａと、湾曲部分２３ａの下端からカップ部２における脇縁部１２の連結部分１２ｂに沿って延びる垂下部分２３ｂとを有している。湾曲部分２３ａは、湾曲部分１２ａに縫着され、垂下部分２３ｂは、連結部分１２ｂに縫着されている。
【００２８】
第１のパネル部２１の下縁部２４は、全長にわたって上方に凸となるように湾曲形状をなすと共に、カップ部２の左右の脇縁部１２，１２を繋ぐように延在している。より具体的には、下縁部２４は、カップ部２のバストトップ位置Ｔ（図１参照）よりも上側を通るように垂下部分２３ｂ，２３ｂ間に延在している。下縁部２４の曲率は、例えば上縁部２２の曲率と略同等となっている。また、下縁部２４は、全長にわたってカップ部２に対してフリー（非縫着状態）となっている。
【００２９】
第２のパネル部３１は、図１に示すように、帯状をなし、カップ部２の左右にそれぞれ配置されている。第２のパネル部３１，３１は、上方側から下方側に向かうほど互いの位置が離間するように裾広がりに配置され、カップ部２のバストトップ位置Ｔを通るようにカップ部２の上縁部１１と下縁部１３との間で延在している。第２のパネル部３１の幅は、バストトップ位置Ｔが第２のパネル部３１の領域内に位置し、かつ第１のパネル部２１の伸長回復性が阻害されない範囲で任意に設定されている。
【００３０】
第２のパネル部３１の上端部３２は、カップ部２における上縁部１１の湾曲部分１１ａに縫着され、第２のパネル部３１の下端部３３は、カップ部２の下縁部１３に縫着されている。また、第２のパネル部３１の幅方向の側縁部３４は、カップ部２に対してフリー（非縫着状態）となっている。なお、上端部３２は、第１のパネル部２１における上縁部２２の中央部分２２ａと一部が重なった状態であってもよい。
【００３１】
以上のような構成を有するカップ部付き衣類１では、左右一体のカップ部２の両脇部分をつなぐように第１のパネル部２１を設けているので、構成の簡単化が図られている。また、カップ部付き衣類１では、上カップ部には、前記下カップ部の伸長回復力よりも前記上カップ部の伸長回復力を大きくするパネル部が設けられ、図３に示すように、着用状態においてカップ部２の脇縁部１２が外側に広がると、左右の脇縁部１２，１２を繋ぐように延在している第１のパネル部２１の下縁部２４が左右に引っ張られる。
【００３２】
この引っ張り力が作用すると、上方に凸となる湾曲形状をなしていた第１のパネル部２１の下縁部２４が直線形状に近づくように変形し、これに伴って、上カップ部２Ａにおいてカップ部２の裏側（着用者のバスト側）方向に力が作用する。これにより、着用者の左右のバスト上部が下カップ部２Ｂよりも伸長回復力の大きい上カップ部２Ａによってしっかりと押さえられ、着用者のバストの揺れを効果的に抑制できる。
【００３３】
また、カップ部付き衣類１では、表側布６と裏側布７との間に配置された第１のパネル部２１が下カップ部２Ｂの伸長回復力よりも大きい伸長回復力を有する素材によって形成され、第１のパネル部２１の下縁部２４がカップ部２に対して非縫着となっている。このように、第１のパネル部２１をカップ部２の内部に配置することで、カップ部付き衣類１の外観への影響を軽減できる。また、第１のパネル部２１の下縁部２４をカップ部２に対して非縫着とすることにより、第１のパネル部２１の変形が十分に許容され、着用時に上カップ部２Ａにおいてカップ部２の裏側方向に作用する力をより確実に生じさせることが可能となる。
【００３４】
また、カップ部付き衣類１では、第１のパネル部２１の下縁部２４がカップ部２のバストトップ位置Ｔよりも上側を通るように延在している。このような構成においても、上カップ部２Ａにおいてカップ部２の裏側方向に力が作用することによってバスト上部が十分な面積で押さられるので、バストの揺れの抑制効果が十分に奏される。一方、第１のパネル部２１がバストトップを押さえないようにすることで、着用時のバストの締付感を低減できる。
【００３５】
また、カップ部付き衣類１では、第１のパネル部２１の左右の脇縁部２３，２３がカップ部２の左右の脇縁部１２，１２に沿って延在している。これにより、第１のパネル部２１によってバスト脇部が十分な面積で押さえられるので、バストの揺れを一層効果的に抑制できる。
【００３６】
また、カップ部付き衣類１では、第１のパネル部２１の上縁部２２がカップ部２とストラップ部４との連結部分１１ｂから離間している。これにより、上カップ部２Ａにおけるカップ部２の裏側方向への力の作用がストラップ部４の引き上げ力によって阻害されることを抑制できる。また、第１のパネル部２１の上縁部２２がバスト上部の形状に沿い易くなるので、着用感を向上できる。
【００３７】
また、カップ部付き衣類１では、カップ部２のバストトップ位置Ｔを通るように、カップ部２の上縁部１１と下縁部１３との間で帯状に延在する第２のパネル部３１が更に設けられている。この第２のパネル部３１により、着用者のバストトップがカップ部２から透けてしまうことを防止できる。また、第２のパネル部３１がバストの前後の揺れを抑えるので、バストの揺れの軽減効果を強化できる。
【００３８】
本発明は、上記実施形態に限られるものではない。例えば上記実施形態では、表側布６と裏側布７との間の空間において、第１のパネル部２１が表側布６側に位置し、第２のパネル部３１が裏側布７側に位置しているが、この配置順は任意であってよい。すなわち、第１のパネル部２１が裏側布７側に位置し、第２のパネル部３１が表側布６側に位置していてもよい。第２のパネル部３１は、必ずしも配置しなくてもよい。第１のパネル部２１及び第２のパネル部３１は、カップ部２と別体に設ける構成に限られず、例えば表側布６或いは表側布６の編組織を上カップ部２Ａと下カップ部２Ｂとで変えることによって形成してもよい。
【００３９】
また、例えば上記実施形態では、第１のパネル部２１の下縁部２４が全長にわたって上方に凸となる湾曲形状（単一のアーチ）をなしているが、下縁部２４は、全体として凸となる湾曲形状をなしていればよい。例えば下縁部２４の一部（中央部分など）が直線状となっていてもよく、複数のアーチを含む形状となっていてもよい。また、上記実施形態では、第１のパネル部２１の上縁部２２が全長にわたって下方に凸となるように湾曲した形状となっているが、上縁部２２は、全長にわたって上方に凸となるように湾曲した形状となっていてもよい。
【００４０】
第１のパネル部２１の下縁部２４は、必ずしもカップ部２におけるバストトップ位置Ｔの上側を通る構成に限られない。すなわち、第１のパネル部２１の下縁部２４は、バストトップ位置Ｔを通るように延在していてもよく、バストトップ位置Ｔの下側を通るように延在していてもよい。第１のパネル部２１によって着用者のバスト上部を押さえる力は、第１のパネル部２１の面積に比例する。したがって、第１のパネル部２１の下縁部２４の位置が下方になるほど、着用者のバスト上部を押さえる力を強化が強化される。また、第１のパネル部２１の下縁部２４の位置が上方になるほど、着用者のバスト上部を押さえる力は弱まるが、着用時のバストの締付感が低減される。
【００４１】
また、例えば上記実施形態では、第１のパネル部２１の左右の脇縁部２３，２３がカップ部２の左右の脇縁部１２，１２に沿って延在しているが、脇縁部２３は、必ずしもカップ部２の脇縁部１２に沿って延在していなくてもよい。例えば、脇縁部２３が上縁部２２の両脇部分２２ｂと下縁部２４の端部とを結ぶように、脇縁部１２よりも内側の位置で中心側に向かって緩やかな凹状に湾曲していてもよい。
【００４２】
上記実施形態では、カップ部付き衣類としてブラジャーを例示したが、本発明を適用するカップ部付き衣類としては、ブラジャーの他に、ブラスリップ、ブラキャミソール、ボディスーツなどのファンデーション衣類、水着、レオタードなどが挙げられる。また、カップ部の縫製は、１ダーツ接ぎ、２ダーツ接ぎ、２枚接ぎ、３枚接ぎ、ギャザーのみ、無縫製（成形カップ）など、種々の形態を採り得る。
【符号の説明】
【００４３】
１…カップ部付き衣類、２…カップ部、２Ａ…上カップ部、２Ｂ…下カップ部、３…バック部、４…ストラップ部、６…表側布、７…裏側布、１１…上縁部、１１ｂ…連結部分、１２…脇縁部、１３…下縁部、２１…第１のパネル部、２２…上縁部、２３…脇縁部、２４…下縁部、３１…第２のパネル部、Ｔ…バストトップ位置。
【図１】
0006354522.tif 000002
【図２】
0006354522.tif 000003
【図３】
0006354522.tif 000004